(57)【要約】      （修正有）【課題】状況に応じて手書き情報の送信方法を切り替えることが可能なデジタルペンを提供すること。【解決手段】用紙に印刷されたパタンを読み取り、パタン情報を生成する読取部と、パタン情報を格納する記憶部と、パタン情報を接続されたサーバに対して端末を介して若しくは直接に送信する送信部を備えたデジタルペンであって、パタン情報を読み取り後直ちにサーバに送信するストリーミングモードと、格納したパタン情報を送信命令が入力されるまで蓄積しておく蓄積モードのいずれかを切り替える切替部を備えたデジタルペンである。このような構成により、状況に応じて手書き情報の送信方法を切り替えることが可能となる。【選択図】図４
2006285516.tif 000002
【特許請求の範囲】
【請求項１】
用紙に印刷されたパタンを読み取り、パタン情報を生成する読取部と、前記読取部により生成されたパタン情報を格納する記憶部と、前記記憶部に格納した前記パタン情報を接続されたサーバに対して端末を介して若しくは直接に送信する送信部を備えたデジタルペンであって、
前記読取部により読み取られたパタン情報を読み取り後直ちに前記送信部により前記サーバに送信するストリーミングモードと、前記記憶部に格納したパタン情報を送信命令が入力されるまで蓄積しておく蓄積モードのいずれかを切り替える切替部を備えたデジタルペン。
【請求項２】
前記送信部は、当該デジタルペン固有の識別情報を格納する手段と、パタン情報を前記識別情報と関連付けて前記サーバに対して送信することを特徴とする。請求項１記載のデジタルペン。
【請求項３】
前記切替部は、入力した前記パタン情報に基づいてストリーミングモードと蓄積モードのいずれかを切り替えることを特徴とする請求項１または２記載のデジタルペン。
【請求項４】
前記デジタルペンは、送信モード切替スイッチを備え、
前記切替部は、前記送信モード切替スイッチに基づいてストリーミングモードと蓄積モードのいずれかを切り替えることを特徴とする請求項１または２記載のデジタルペン。
【請求項５】
前記デジタルペンは、送信モード決定信号を受信する受信部を備え、
前記切替部は、前記受信部により受信した前記送信モード決定信号に基づいてストリーミングモードと蓄積モードのいずれかを切り替えることを特徴とする請求項１または２記載のデジタルペン。
【請求項６】
用紙と、前記用紙に記入を行うデジタルペンと、前記ペンと通信可能に接続されたサーバとを備えた手書き入力システムであって、
前記用紙は、前記ペンにより記入が行われる位置に応じた位置情報を示すパタンが印刷されており、
前記デジタルペンは、用紙に印刷されたパタンを読み取り、パタン情報を生成する読取部と、前記読取部により生成されたパタン情報を格納する記憶部と、前記記憶部に格納した前記パタン情報を接続されたサーバに対して端末を介して若しくは直接に送信する送信部と、前記読取部により読み取られたパタン情報を読み取り後直ちに前記送信部により前記サーバに送信するストリーミングモードと、前記記憶部に格納したパタン情報を送信命令が入力されるまで蓄積しておく蓄積モードのいずれかを切り替える切替部を有し、
前記サーバは、前記デジタルペンから前記パタン情報を受信する受信部と、受信したパタン情報を処理する情報処理部を有する手書き入力システム。
【請求項７】
前記送信部は、当該デジタルペン固有の識別情報を格納する手段と、パタン情報を前記識別情報と関連付けて前記サーバに対して送信し、
前記受信部は、前記識別情報と関連付けて前記位置情報を受信し、
前記デジタルペンの識別情報を予め登録し格納するパタン情報記憶部と、受信した前記パタン情報と関連付けられた前記識別情報と、前記パタン情報記憶部に格納された前記デジタルペンの識別情報が一致するかを判定する判定部を備え、
前記情報処理部は、前記判定部による判定の結果、両者が一致した場合のみ受信したパタン情報を処理することを特徴とする請求項６記載の予約システム。
【請求項８】
前記切替部は、入力した前記パタン情報に基づいてストリーミングモードと蓄積モードのいずれかを切り替えることを特徴とする請求項６または７記載の手書き入力システム。
【請求項９】
前記デジタルペンは、送信モード切替スイッチを備え、
前記切替部は、前記送信モード切替スイッチに基づいてストリーミングモードと蓄積モードのいずれかを切り替えることを特徴とする請求項６または７記載の手書き入力システム。
【請求項１０】
前記デジタルペンは、送信モード決定信号を受信する受信部を備え、
前記切替部は、前記受信部により受信した前記送信モード決定信号に基づいてストリーミングモードと蓄積モードのいずれかを切り替えることを特徴とする請求項６または７記載の手書き入力システム。
【発明の詳細な説明】
【技術分野】
【０００１】
本発明は、デジタルペン及び手書き入力システムに関するものであり、より詳細には、送信機能を備えたデジタルペン及び手書き入力システムに関する。
【背景技術】
【０００２】
ペンなどの筆記用具で手書き入力を行う入力方法は昔から利用されており、近年は手書き入力による手書き情報をデジタル化して利用する方法が考えられてきた。
【０００３】
手書き情報をデジタル化する利点として、ネットワークを介して手書き情報の送受信が手軽に行えることが挙げられる。手書き情報の送受信方法として、大きく分けて２通りの方法が考えられる。
【０００４】
１つは、手書き情報をペンの備えるメモリに蓄積しておき、手書き入力が完了してからまとめて送信する方法で、ネットワークに常時接続できない場合やネットワークに負荷をあまりかけたくない場合に適している。
【０００５】
もう１つは、手書き入力を行っている間に随時送信を行う方法で、すぐに手書き情報を送信先で利用したい場合や、ペンが記憶手段を備えていない場合などに適している。ペンタブレットを利用した手書き入力もこちらの方法に該当する。
【０００６】
このように、２つの送受信方法が存在し、それぞれの方法に長所と短所が存在する。状況に応じて送受信方法を切り替えたい場合も考えられるが、そのような情報端末は存在したものの（例えば、特許文献１など）、ペン入力により行われた手書き情報の送信方法を切り替えることが可能なペンは今まで存在しなかった。
【特許文献１】特開２００２−５１３１２号公報
【発明の開示】
【発明が解決しようとする課題】
【０００７】
このように、従来のデジタルペンは、送信方法を切り替えることができないという問題点があった。
【０００８】
本発明は、このような問題点を解決するためになされたものであり、状況に応じて手書き情報の送信方法を切り替えることが可能なデジタルペンを提供することを目的とする。
【課題を解決するための手段】
【０００９】
本発明におけるデジタルペンは、用紙に印刷されたパタンを読み取り、パタン情報を生成する読取部と、前記読取部により生成されたパタン情報を格納する記憶部と、前記記憶部に格納した前記パタン情報を接続されたサーバに対して端末を介して若しくは直接に送信する送信部を備えたデジタルペンであって、前記読取部により読み取られたパタン情報を読み取り後直ちに前記送信部により前記サーバに送信するストリーミングモードと、前記記憶部に格納したパタン情報を送信命令が入力されるまで蓄積しておく蓄積モードのいずれかを切り替える切替部を備えたデジタルペンである。このような構成により、状況に応じて手書き情報の送信方法を切り替えることが可能となる。
【００１０】
前記送信部は、当該デジタルペン固有の識別情報を格納する手段と、パタン情報を前記識別情報と関連付けて前記サーバに対して送信することを特徴としてもよい。こうすることによりセキュリティを強化することが可能となる。
【００１１】
前記切替部は、入力した前記パタン情報に基づいてストリーミングモードと蓄積モードのいずれかを切り替えることを特徴としてもよい。このようにすることにより、ユーザーは切り替えを意識することなく送信方法を切り替えることが可能となる。
【００１２】
前記デジタルペンは、送信モード切替スイッチを備え、前記切替部は、前記送信モード切替スイッチに基づいてストリーミングモードと蓄積モードのいずれかを切り替えることを特徴としてもよい。このようにすることにより、ユーザーは任意に送信方法を切り替えることが可能となる。
【００１３】
前記デジタルペンは、送信モード決定信号を受信する受信部を備え、前記切替部は、前記受信部により受信した前記送信モード決定信号に基づいてストリーミングモードと蓄積モードのいずれかを切り替えることを特徴としてもよい。このようにすることにより、外部から送信方法を切り替えることが可能となる。
【００１４】
本発明における手書き入力システムは、用紙と、前記用紙に記入を行うデジタルペンと、前記ペンと通信可能に接続されたサーバとを備えた手書き入力システムであって、
前記用紙は、前記ペンにより記入が行われる位置に応じた位置情報を示すパタンが印刷されており、前記デジタルペンは、用紙に印刷されたパタンを読み取り、パタン情報を生成する読取部と、前記読取部により生成されたパタン情報を格納する記憶部と、前記記憶部に格納した前記パタン情報を接続されたサーバに対して端末を介して若しくは直接に送信する送信部と、前記読取部により読み取られたパタン情報を読み取り後直ちに前記送信部により前記サーバに送信するストリーミングモードと、前記記憶部に格納したパタン情報を送信命令が入力されるまで蓄積しておく蓄積モードのいずれかを切り替える切替部を有し、前記サーバは、前記デジタルペンから前記パタン情報を受信する受信部と、受信したパタン情報を処理する情報処理部を有する手書き入力システムである。このような構成により、状況に応じて手書き情報の送信方法を切り替えることが可能となる。
【００１５】
前記送信部は、当該デジタルペン固有の識別情報を格納する手段と、パタン情報を前記識別情報と関連付けて前記サーバに対して送信し、前記受信部は、前記識別情報と関連付けて前記位置情報を受信し、前記デジタルペンの識別情報を予め登録し格納するパタン情報記憶部と、受信した前記パタン情報と関連付けられた前記識別情報と、前記パタン情報記憶部に格納された前記デジタルペンの識別情報が一致するかを判定する判定部を備え、
前記情報処理部は、前記判定部による判定の結果、両者が一致した場合のみ受信したパタン情報を処理することを特徴としてもよい。こうすることによりセキュリティを強化することが可能となる。
【００１６】
前記切替部は、入力した前記パタン情報に基づいてストリーミングモードと蓄積モードのいずれかを切り替えることを特徴としてもよい。このようにすることにより、ユーザーは切り替えを意識することなく送信方法を切り替えることが可能となる。
【００１７】
前記デジタルペンは、送信モード切替スイッチを備え、前記切替部は、前記送信モード切替スイッチに基づいてストリーミングモードと蓄積モードのいずれかを切り替えることを特徴としてもよい。このようにすることにより、ユーザーは任意に送信方法を切り替えることが可能となる。
【００１８】
前記デジタルペンは、送信モード決定信号を受信する受信部を備え、前記切替部は、前記受信部により受信した前記送信モード決定信号に基づいてストリーミングモードと蓄積モードのいずれかを切り替えることを特徴としてもよい。このようにすることにより、外部から送信方法を切り替えることが可能となる。
【発明の効果】
【００１９】
本発明によれば、状況に応じて手書き情報の送信方法を切り替えることが可能なデジタルペンを提供することが可能となる。
【発明を実施するための最良の形態】
【００２０】
図１は、本発明における手書き入力システムの全体構成を示す模式図である。本発明における手書き入力システムは、デジタルペン１１、アノト用紙１２、ＰＣ１３、サーバ２４を備える。ＰＣ１３とサーバ２４はインターネット１０を介して接続されており、互いに通信可能である。また、デジタルペン１１とＰＣ１３は、無線または有線により接続されており、互いに通信可能である。
【００２１】
デジタルペン１１は、ユーザーが手書き入力により情報を入力するための入力手段である。デジタルペン１１は、ＰＣ１３と無線通信などにより通信可能であり、入力された手書き入力情報をＰＣ１３に送信する。また、デジタルペン１１は、個別の識別情報を格納しており、格納した個別の識別情報を手書き入力情報と互いに関連付けてＰＣ１３に送信する。
【００２２】
アノト用紙１２は、デジタルペン１１により手書き情報を入力するための専用の用紙である。ここでの実施例ではアノト方式により手書き入力情報を記録するため、専用の用紙が必要である。アノト方式については後に説明する。
【００２３】
ＰＣ１３は、デジタルペン１１から手書き入力情報を受信し、インターネット１０を介してサーバ２４に対して受信した手書き入力情報を送信するモデムとしての役割を果たす。ここではＰＣとしたが、通信機能を備えたＰＤＡ（Personal Digital Assistant）などの携帯端末でもよいし、携帯電話機やブルートゥース通信専用ボックスでもよい。また、デジタルペン１１とサーバ２４が直接通信可能であれば、ＰＣ１３はなくてもよい。
【００２４】
サーバ２４は、デジタルペン１１に入力された手書き入力情報を受信し、予約の処理を行うサーバであり、市販のＰＣやサーバをそのまま利用することが可能である。また、サーバ２４は、デジタルペン１１に対して予約に必要な情報の送信を行う。受信時にデジタルペン１１の識別情報を認証し、認証したデジタルペン１１から送信された手書き入力情報のみを受信するようにしてもよい。
【００２５】
ここで、図２を用いて、デジタルペン１１のハードウェア構成の概略について説明する。このデジタルペン１１は、携帯電話やパーソナルコンピュータと、例えばブルートゥース（Bluetooth：登録商標）等を用いて無線により接続されるが、ＵＳＢ（Universal Serial Bus）等を用いて有線により接続されていてもよい。また、デジタルペン１１は、アノト用紙１２のパタン面１２１上に通常の方法で文字や絵、図等を手書きし、同時に手書きした情報をＰＣに送信する。パタン面１２１には、後述する特定の符号パタンが設けられている。
【００２６】
デジタルペン１１は、図２に示されるように、ボールペン１１０、筆圧センサ１１２、光学モジュール１１３、信号処理部１１５、制御部１１６、スイッチ１１７、メモリ１１８、バッテリー１１９及び通信制御部１２０を備えている。また、デジタルペン１１は、文字や図等を書くことができればよく、ペンの形に限らず、任意の形でもよい。
【００２７】
ボールペン１１０は、筆記手段であり、一端にペン先１１１を有し、他端を筆圧センサ１１２と接触している。ボールペン１１０の内部には、インクが充填されている。このインクの材料や色は、アノト用紙１２上の符号パタンの読み取りに影響のないものであれば、特に限定されないが、赤外線を吸収するもの、例えば、カーボン等ではないことが好ましい。また、ボールペン１１０は、通常のボールペンと同様に、アノト用紙１２又は通常の用紙にも、文字等を書くことができる。さらに、ボールペン１１０は、ボールペンに限らず、蛍光ペン、サインペン、万年筆等でもよい。
【００２８】
筆圧センサ１１２は、ボールペン１１０と接触しており、例えば、信号処理部１１５と接続されている。筆圧センサ１１２は、後述するようにボールペン１１０の筆圧を検出し、信号処理部１１５へ出力する。また、筆圧センサ１１２は、ボールペン１１０の筆圧を検出できるものであればよく、圧力センサ等の接触型センサでもよいし、光センサや超音波センサ等の非接触型センサでもよい、非接触型センサであれば、ボールペン１１０とは接触しなくてもよい。さらに、筆圧センサ１１２は、筆圧に限らず、ボールペン１１０のインクの量などを検出してもよい。
【００２９】
光学モジュール１１３は、例えば、信号処理部１１５と接続されている。光学モジュール１１３は、後述するようにペン先１１１の近傍である検出範囲１１４の符号パタンを光学的手段により検出し、信号処理部１１５へ出力する。また、光学モジュール１１３は、検出範囲１１４の符号パタンを検出できるものであればよく、例えば、ＣＭＯＳカメラ、ＣＣＤカメラ、発光素子と受光素子等でもよい。さらに、光学モジュール１１３は、符号パタンに限らず、ペン先１１１とパタン面の距離や、ボールペン１１０の角度などを検出してもよい。尚、光学モジュール１１３は、ペン先１１１がパタン面から約５ｍｍ離れていても符号パタンを検出できる性能を備えていることが好ましいが、これに限定されるものではない。
【００３０】
信号処理部１１５は、例えば、筆圧センサ１１２、光学モジュール１１３、制御部１１６及びメモリ１１８と接続されている。信号処理部１１５は、後述するように正規化部やデコーダ部、ＡＤＣ等を備えており、筆圧センサ１１２の検出信号をデジタル信号に変換したり、光学モジュール１１３の検出信号を復号したりする。また、信号処理部１１５は、変換・復号した信号を制御部１１６やメモリ１１８へ出力する。
【００３１】
制御部１１６は、例えば、信号処理部１１５、スイッチ１１７及びメモリ１１８と接続されている。制御部１１６は、例えば、スイッチ１１７のＯＮ／ＯＦＦに応じて、デジタルペン１１全体の電源のＯＮ／ＯＦＦを制御してもよい。また、制御部１１６は、信号処理部１１５からの信号等をメモリ１１８へ出力する。
【００３２】
スイッチ１１７は、例えば、制御部１１６と接続されている。スイッチ１１７は、電源スイッチでもよいし、筆圧センサ１１２や光学モジュール１１３の検出のためのスイッチ、通信制御部１２０が通信するためのスイッチ等としてもよい。また、現在のモードがストリーミングモードであるか蓄積モードであるかを切り替えるスイッチとしてもよい。モードについては後に詳しく説明する。
【００３３】
メモリ１１８は、例えば、信号処理部１１５及び制御部１１６と接続されている。メモリ１１８は、後述するように信号処理部１１５や制御部１１６から入力された情報を格納し、格納した情報を通信制御部１２０へ出力する。メモリ１１８は、信号処理部１１５や制御部１１６から入力された情報を記憶できるものであればよく、ＲＡＭやＥＥＰＲＯＭ、メモリーカード等でもよい。
【００３４】
バッテリー１１９は、デジタルペン１１の各要素に動作電力を供給するものである。バッテリー１１９は、乾電池等の一次電池でもよいし、リチウムイオン電池等の二次電池でもよく、さらに、別の装置やＵＳＢ等の電力供給能力を有するインタフェースでもよい。
【００３５】
通信制御部１２０は、例えば、メモリ１１８と接続されている。通信制御部１２０は、後述するようにメモリ１１８から入力された情報を、無線あるいは有線通信によりＰＣ等へ送信する。通信制御部１２０は、ＰＣ等と通信接続できるものであればよく、無線接続の場合、ブルートゥース等による通信を可能とする通信制御回路や無線アンテナ等でもよいし、有線接続の場合、ＵＳＢ等による通信を可能とする通信制御回路や通信ポート等でもよい。尚、上述したそれぞれの構成要素は、その具体的方式や実現手段は特定のものに限定されない。
【００３６】
アノト用紙１２は、アノト方式のデジタイジング方式が採用された電子ペーパーの一例である。この方式は、スウェーデンの会社であるアノト社が開発したデジタイジング方式である。具体的には、アノト方式では、用紙に０.３ｍｍの格子の交点から僅かにずらして点を印刷し、この点をデジタルペン１１に設けられた超小型カメラによって撮影する。アノト方式では、６点×６点つまり３６個の点の格子からのずれ方により、絶対座標を算出するデジタイジング方式である。
【００３７】
アノト用紙１２は、筆記面であるパタン面１２１に符号パタン１２２が印刷されている。また、アノト用紙１２は、紙に限らず、木やプラスチック板、ガラス等でもよい。
【００３８】
符号パタン１２２は、図３に示すように、格子状に配置された複数のドット１２３から構成されている。ドット１２３は、光学モジュール１１３で認識できればよく、人間の視覚により認識できなくてもよいし、例えば、カーボンインク等により印刷されていてもよい。例えば、ドット１２３の直径は０．１ｍｍであり、格子の間隔は０．３ｍｍであるが、その他の任意の値でもよい。
【００３９】
図３に示すように、ドット１２３は、格子の位置から上下左右にずれて配置されてもよい。例えば、上下左右にずれたドット１２３にそれぞれ、"０"、"１"、"２"、"３"と４つの符号、つまり２進数における２ビットの符号と等価となる。例えば、パタンの符号語が、縦×横で６×６の符号とすると、６×６×２ビット、つまり符号語当たり７２ビットの値を表すことができる。
【００４０】
そして、この符号パタン１２２によって示される唯一の符号パタンからＸ軸座標及びＹ軸座標の座標データを表すことにより、アノト用紙１２の絶対的な位置等を検出することができる。また、符号パタン１２２は、座標データに限らず、アノト用紙１２の情報を含んでいてもよい。尚、符号パタン１２２は、ペン先１１１の位置座標を検出できるものであれば特定の符号方式・符号パタンおよびその記録方法やパタンの検出方法には制限されるものではない。
【００４１】
デジタルペン１１は、毎秒５０枚から１００枚の画像を撮影し、その時の座標値を送信する。アノト用紙１２には、異なった座標空間の点列を印刷することにより、アノト用紙１２の区別を絶対アドレスで行うことができる。これを利用して、ペーパールックアップという機能が実現されている。この機能は、ペンから送られてきた用紙の座標データを分析し、絶対アドレスからアノト用紙１２にアサインしたアプリケーションを特定する。これにより、紙とペンだけでアプリケーションを特定することができるため、今までのように用紙（内容）によってアプリケーションを切り替えるという必要がなくなる。
【００４２】
続いて、本発明にかかるデジタルペンの機能構成について具体的に説明する。図４は、本発明にかかる手書き入力システムの機能構成を示すブロック図である。本発明における手書き入力システムは、デジタルペン１１、アノト用紙１２、ＰＣ１３、サーバ２４を備える。
【００４３】
デジタルペン１１は、入力部１１００、記憶部１１０１、送信部１１０２、切替部１１０３を備える。
【００４４】
入力部１１００は、アノト用紙１２に印刷された符号パタン１２２を光学モジュール１１３で認識することにより読み取りを行う読取部である。入力部１１００は、読み取った符号パタン１２２からパタン情報を生成する。入力部１１００は、生成したパタン情報を記憶部１１０１に格納する。
【００４５】
記憶部１１０１は、入力部１１００により読み取った符号パタンから生成されたパタン情報を格納する記憶手段である。記憶部１１０１は、メモリ１１８により構成される。また、現在のモードがパタン情報を読み取り後直ちに送信部１１０２によりサーバ２４に送信するストリーミングモードと、格納したパタン情報を送信命令が入力されるまで蓄積しておく蓄積モードのいずれかであるかの情報を格納するようにしてもよい。
【００４６】
送信部１１０２は、記憶部１１０１に格納されたパタン情報をＰＣ１３に送信する。このとき、パタン情報を座標情報などのパタン情報に変換してから変換したパタン情報を送信してもよい。変換しない場合は符号パタンがそのままパタン情報となる。
【００４７】
切替部１１０３は、現在のモードがストリーミングモードであるか蓄積モードであるかを記憶部１１０１を参照する等により判定し、判定結果に基づいて送信部１１０２に送信を行わせるか否かを決定する。別途送信命令を受信した場合に送信部１１０２に送信を行わせることも可能である。
【００４８】
サーバ２４は、受信部２４０と情報処理部２４１を備える。
【００４９】
受信部２４０は、デジタルペン１１の送信した符号パタンを、ＰＣ１３を介して受信する手段であり、サーバ２４の備えるモデムなどにより実現される。
【００５０】
情報処理部２４１は、受信したパタン情報について実際に処理を行う手段であり、サーバの備えるＣＰＵにより実現される。処理の内容については特に限定されないが、例えば、入力した入力情報を手書き情報として画像データに変換する、等が挙げられる。
【００５１】
続いて、図５に示すフローチャートを用いて本発明におけるデジタルペン１１の処理の流れについて説明する。
【００５２】
まず、入力部１１００がアノト用紙１２の符号パタンを入力する（Ｓ１）。次に、入力部１１００が入力した符号パタンからパタン情報を生成し、生成したパタン情報を記憶部１１０１に出力する。記憶部１１０１は、入力部１１００から入力したパタン情報を格納する（Ｓ２）。
【００５３】
切替部１１０３は、先ほど入力し格納されたパタン情報をＰＣ１３に送信するか否かの判定を行う（Ｓ３）。切替部１１０３は、ストリーミングモードである場合か、別途送信命令を受信した場合に送信すると判定し、それ以外の場合は送信しないと判定する。送信しないと判定した場合は、再度入力部１１００により符号パタンの入力を行う。
【００５４】
送信すると判定した場合は、送信部１１０２により入力したパタン情報をＰＣ１３に対して送信する（Ｓ４）。このとき、符号パタンを座標情報などの入力情報に変換してから変換した入力情報を送信してもよい。
【００５５】
続いて、切替部１１０３による送信するか否かの切替について具体的に説明する。切替部１１０３は、アノト用紙１２の符号パタンに応じて予め決定されている。アノト用紙１２のどの符号パタンを入力した場合送信を行うかについての符号パタンデータはデジタルペン１１のメモリ１１８に格納されている。
【００５６】
図６は、アノト用紙の具体例を示す図である。図６に示すアノト用紙３０は、座席予約を行うときに利用する用紙である。アノト用紙３０は、開始領域３０１、座席レイアウト領域３０２、予約者情報入力領域３０３、送信領域３０４の領域を有する。
【００５７】
開始領域３０１は、入力を開始するときにデジタルペン１１によりチェックする領域である。座席レイアウト領域３０２は、予約を行う座席の位置を示す領域であり、デジタルペン１１でチェックすることにより、チェックした位置に該当する座席の予約の可否を確認することができる。予約者情報入力領域３０３は、実際に予約を行うときに予約者の氏名、住所、支払方法などの情報を手書き入力する領域であり、デジタルペン１１により手書きで入力する。送信領域３０４は、予約者情報入力領域３０３に入力した手書き情報をサーバ２４に対して送信するときにチェックする領域である。
【００５８】
図６に示すアノト用紙３０を用いて座席予約を行う場合、切替部１１０３は、入力した符号パタンが予約者情報入力領域３０３に印刷されたパタンである場合には直ちにサーバ２４に対して送信は行わない。また、入力した符号パタンが開始領域３０１、座席レイアウト領域３０２、送信領域３０４のいずれかに印刷されたパタンである場合には直ちにサーバ２４に対してパタン情報の送信を行う。
【００５９】
サーバ２４は、受信手段２４０によりパタン情報を受信すると、情報処理部２４１は、受信したパタン情報に応じた処理を行う。例えば、受信したパタン情報が座席レイアウト領域３０２に該当するパタン情報であった場合は、座席レイアウト領域の該当する座席が予約可能であるかをサーバ２４の備えるデータベース（図示しない）に照会し、予約可能であるか否かを示す情報を生成する。生成した予約可能であるか否かを示す情報は、ＰＣ１３や別途接続された表示端末に送信されユーザーは予約可能の有無を確認することができる。
【００６０】
また、受信したパタン情報が送信領域３０４に該当するパタン情報であった場合は、蓄積モードであるため、予約者情報入力領域３０３に入力され、デジタルペン１１の記憶部１１０１に蓄積された手書き情報を合わせて受信する。そのため、情報処理部２４１は、受信した手書き情報を予約者情報として予約の処理を行う。
【００６１】
別の例を挙げて説明する。図７は、アノト用紙の具体例を示す図である。図７に示すアノト用紙３１は、ＰＣ１３や、別途接続された表示端末により詳細な情報を表示可能なカタログとして利用する用紙である。アノト用紙３１は、商品表示領域３１０、チェック領域３１１の領域を有する。
【００６２】
商品表示領域３１０は、カタログに表示したい商品が表示されている領域である。チェック領域３１１は、商品表示領域３１０に１対１で対応しており、対応した商品表示領域３１０に表示された商品をより詳しく確認したい場合にデジタルペン１１を用いてチェックするとサーバ２４から詳しい情報が送信され、ＰＣ１３や、別途接続された表示端末により詳細な情報が表示される。
【００６３】
図７に示すアノト用紙３１を用いてカタログ閲覧を行う場合、切替部１１０３は、入力した符号パタンがチェック領域３１１に印刷されたパタンである場合には直ちにサーバ２４に対して送信を行うが、それ以外の領域に印刷されたパタンである場合には直ちに送信は行わない。
【００６４】
サーバ２４は、受信手段２４０によりパタン情報を受信すると、情報処理部２４１は、受信したパタン情報に応じた処理を行う。例えば、受信したパタン情報がチェック領域３１１に印刷されたパタンに該当するパタン情報であった場合には、該当する商品の詳細な情報をサーバ２４の備えるデータベース（図示しない）から取得する。生成した予約可能であるか否かを示す情報は、ＰＣ１３や別途接続された表示端末に送信されユーザーは予約可能の有無を確認することができる。
【００６５】
このようにして、印刷されたパタンによりデジタルペン１１が入力した情報の送信を直ちに行うか否かを決定することが可能となる。
【００６６】
その他の発明の実施の形態．
上述の例では、デジタルペン１１が入力した情報の送信を直ちに行うか否かの決定は、アノト用紙に印刷された符号パタンにより決定したが、これをデジタルペン１１が切替スイッチを備え、切替スイッチにより決定するようにしてもよい。このようにすることにより、ユーザーは任意に送信方法を切り替えることが可能となる。
【００６７】
また、上述の例では、デジタルペン１１が入力した情報の送信を直ちに行うか否かの決定は、アノト用紙に印刷された符号パタンにより決定したが、これを外部から信号を入力し入力した信号によって決定するようにしてもよい。このようにすることにより、外部から送信方法を切り替えることが可能となる。この方法は、例えば、デジタルペンを生徒に使用させて授業を行うときに、特定の生徒の解答のみを確認する等の用途に適している。
【図面の簡単な説明】
【００６８】
【図１】本発明にかかる手書き入力システムの概略構成の一例を示す模式図である。
【図２】本発明にかかるデジタルペンの構成例を示す模式図である。
【図３】本発明にかかるアノト用紙の一例を示す模式図である。
【図４】本発明にかかる手書き入力システムの機能構成を示すブロック図である。
【図５】本発明にかかるデジタルペンの処理の流れを示すフローチャートである。
【図６】本発明にかかるアノト用紙の具体例を示す図である。
【図７】本発明にかかるアノト用紙の具体例を示す図である。
【符号の説明】
【００６９】
１０      インターネット
１１      デジタルペン
１２      アノト用紙
１３      ＰＣ
２４      サーバ
３０      アノト用紙
３１      アノト用紙
１１０    ボールペン
１１１    ペン先
１１２    筆圧センサ
１１３    光学モジュール
１１４    検出範囲
１１５    信号処理部
１１６    制御部
１１７    スイッチ
１１８    メモリ
１１９    バッテリー
１２０    通信制御部
１２１    パタン面
１２２    符号パタン
１２３    ドット
２４０    受信部
２４１    情報処理部
３０１    開始領域
３０２    座席レイアウト領域
３０３    予約者情報入力領域
３０４    送信領域
３１０    商品表示領域
３１１    チェック領域
１１００  入力部
１１０１  記憶部
１１０２  送信部
１１０３  切替部
【図１】
2006285516.tif 000003
【図２】
2006285516.tif 000004
【図３】
2006285516.tif 000005
【図４】
2006285516.tif 000006
【図５】
2006285516.tif 000007
【図６】
2006285516.tif 000008
【図７】
2006285516.tif 000009